(57)【特許請求の範囲】
【請求項１】
本体と、
フレームと、
第１の肩ストラップと、
第２の肩ストラップと、
前記フレームの湾曲部によって形成された一対のノッチと、
前記第１の肩ストラップおよび前記第２の肩ストラップの各々から延在して前記フレームによって吊り下げられた負荷引き上げストラップと、を備え、
前記負荷引き上げストラップは、前記ノッチの夫々の内側の位置に偏在するように、当該ノッチの上に置かれるバックパック。
【請求項２】
前記負荷引き上げストラップを選択的に締結する前記第１の肩ストラップに固定された締結具と、
前記負荷引き上げストラップの一端を前記第２の肩ストラップに固定する固定点と、
をさらに備える請求項１に記載のバックパック。
【請求項３】
前記負荷引き上げストラップを選択的に締結する前記第１の肩ストラップに固定された第１の締結具と、
前記負荷引き上げストラップを選択的に締結する前記第２の肩ストラップに固定された第２の締結具と、
をさらに備える請求項１に記載のバックパック。
【請求項４】
前記一対のノッチは、前記フレームの上部に配置され、前記フレームの背後に前記負荷引き上げストラップを方向付けるものである請求項１に記載のバックパック。
【請求項５】
前記負荷引き上げストラップは、前記一対のノッチを通って摺動可能である請求項４に記載のバックパック。
【請求項６】
本体と、
フレームと、
第１の肩ストラップと、
第２の肩ストラップと、
前記第１の肩ストラップおよび前記第２の肩ストラップに取り付けられたヨークと、
第１の腰パッドおよび第２の腰パッドを有する腰ベルトに取り付けられた背面パネルと、
前記フレームの第１の下側部分から、前記フレームの前記第１の下側部分とは反対側の前記フレームの第２の下側部分まで延びて、前記ヨークに固定されたストラップ受け部材を通過する胴体長さ調整ストラップと、を備え、
前記胴体長さ調整ストラップは、前記フレームの第１の下側部分において固定点に固定され、前記固定点とは反対側で前記フレームの第２の下側部分において固定された締結具に通されており、前記フレームの前記第２の下側部分において前記胴体長さ調整ストラップの自由端を引っ張り、かつ、前記締結具を夫々係合および解除することにより、前記固定点と前記締結具との間の前記胴体長さ調整ストラップの長さが増加または減少するようにされているバックパック。
【請求項７】
前記締結具は、前記胴体長さ調整ストラップを選択的に締結するように構成され、
前記固定点は、前記胴体長さ調整ストラップの端部を前記フレームの前記第１の下側部分に固定する請求項６に記載のバックパック。
【請求項８】
前記締結具は、前記胴体長さ調整ストラップを選択的に固定するように構成された第１の締結具であり、
当該バックパックは、
前記胴体長さ調整ストラップを選択的に固定する、前記フレームの第１の下側部分に固定された第２の締結具をさらに備える請求項６に記載のバックパック。
【請求項９】
前記ヨークは、前記胴体長さ調整ストラップの調整に応答して前記フレームの垂直部分に沿って摺動可能であるように、前記フレームに係合される請求項６に記載のバックパック。
【請求項１０】
前記背面パネルは、前記胴体長さ調整ストラップの調整に応答して前記フレームの垂直部分に沿って摺動可能であるように、前記フレームに係合される請求項６に記載のバックパック。
【請求項１１】
前記背面パネルは、前記胴体長さ調整ストラップを隠す請求項６に記載のバックパック。
【請求項１２】
本体と、
フレームと、
第１の肩ストラップと、
第２の肩ストラップと、
前記フレームの湾曲部によって形成された一対のノッチと、
前記第１の肩ストラップおよび前記第２の肩ストラップのそれぞれから延在し、前記フレームによって吊り下げられた負荷引き上げストラップと、
前記第１の肩ストラップおよび前記第２の肩ストラップに取り付けられたヨークと、
第１の腰パッドおよび第２の腰パッドを有する腰ベルトに取り付けられた背面パネルと、
前記フレームの第１の下側部分から、前記フレームの前記第１の下側部分と反対側の前記フレームの第２の下側部分まで延在し、前記ヨークに固定されたストラップ受け部材を通過する胴体長さ調整ストラップと、を備え、
前記負荷引き上げストラップは、前記ノッチの夫々の内側の位置に偏在するように、当該ノッチの上に置かれるバックパック。
【請求項１３】
前記負荷引き上げストラップを選択的に締結する、前記第１の肩ストラップに固定された締結具と、
前記負荷引き上げストラップの端部を前記第２の肩ストラップに固定する固定点と、
をさらに備える請求項１２に記載のバックパック。
【請求項１４】
前記負荷引き上げストラップを選択的に締結する、前記第１の肩ストラップに固定された第１の締結具と、
前記負荷引き上げストラップを選択的に締結する、前記第２の肩ストラップに固定された第２の締結具と、
をさらに備える請求項１２に記載のバックパック。
【請求項１５】
前記一対のノッチは、前記フレームの上部に配置され、前記フレームの背後に前記負荷引き上げストラップを方向付けるものである請求項１２に記載のバックパック。
【請求項１６】
前記負荷引き上げストラップは、前記一対のノッチを通って摺動可能である請求項１５に記載のバックパック。
【請求項１７】
前記胴体長さ調整ストラップを選択的に締結する、前記フレームの前記第１の下側部分に固定された締結具と、
前記胴体長さ調整ストラップの端部を前記フレームの前記第２の下側部分に固定する固定点と、
をさらに備える請求項１２に記載のバックパック。
【請求項１８】
前記胴体長さ調整ストラップを選択的に固定する、前記フレームの前記第１の下側部分に固定された第１の締結具と、
前記胴体長さ調整ストラップを選択的に固定する、前記フレームの前記第２の下側部分に固定された第２の締結具と、
をさらに備える請求項１２に記載のバックパック。
【請求項１９】
前記ヨークは、前記胴体長さ調整ストラップの調整に応答して前記フレームの垂直部分に沿って摺動可能であるように、前記フレームに係合される請求項１２に記載のバックパック。
【請求項２０】
前記背面パネルは、前記胴体長さ調整ストラップの調整に応答して前記フレームの垂直部分に沿って摺動可能であるように、前記フレームに係合される請求項１２に記載のバックパック。
【発明の詳細な説明】
【技術分野】
【０００１】
本出願は２０１７年２月８日に出願された米国非仮出願第１５／４２７，６５０号の優先権を主張し、その開示は、その全体が基準により本明細書に組み込まれる。
【０００２】
本発明は一般に、ハイキング、キャンプ、釣りなどのような、旅行または広範囲の屋外活動に使用することができるバックパックに関する。
【背景技術】
【０００３】
バックパックは、ユーザの肩と背中に負荷を分散させることによって、ユーザがアイテムを持ち運ぶことを可能にする。典型的には、バックパックは、そこを通してユーザが腕を挿入する肩ストラップによってユーザの肩に保持される。バックパックはまた、ユーザの背中での過剰な回転を防止することで負荷をさらに安定させる腰ベルトを含んでもよい。バックパックで積荷を運ぶことは、手で運ぶことに代わる快適な手段となり得る。
【発明の概要】
【発明が解決しようとする課題】
【０００４】
ボディタイプおよび姿勢がバックパックのユーザ間で異なるため、バックパックの肩ストラップおよび腰ベルトは簡単に調整できるものであることが望ましい。ユーザの背中および肩に、より良好な輪郭を描く肩ストラップを得るために、いくつかのバックパックは、肩ストラップおよび本体に取り付けられた負荷安定化ストラップを含む。しかしながら、従来のバックパックは多くの場合、２つの個々の負荷安定化ストラップ（各肩ストラップに１つ）を有し、これらの負荷安定化ストラップは、個別の調整が可能である。したがって、ユーザはバックパックがユーザの背中に対称的に載ることができるように、各ストラップを個別に調整し、各ストラップの設定を調整しなければならない。また、別個の独立した負荷安定化ストラップは、ユーザの動きに応じて負荷および肩ストラップの位置をシフトさせるように協働して機能することができない。ユーザの快適性は、この点で制限される。
【０００５】
さらに、いくつかのバックパックは、腰ベルトの位置の調整が可能とされている。しかしながら、従来の調整機構は使用が困難であり、特に肩ストラップと腰ベルトとの間の長さが調整される場合に、調整を行うために、ユーザがバックパックを取り外すか、またはバックパックを部分的に分解することを必要とすることがある。
【０００６】
したがって、ユーザが肩ストラップおよび腰ベルトの位置を迅速かつ容易に調整することを可能にする、バックパックのための改善された負荷調整システムが必要とされている。また、ユーザの動きに応答するこのようなシステムが必要とされている。
【課題を解決するための手段】
【０００７】
本発明の一態様は、肩ストラップの位置を調整して、ユーザの肩を横切る負荷の可変な分布を可能にする負荷引き上げ機構を有するバックパックに関する。そのようなバックパックの一例は、本体と、フレームと、第１の肩ストラップと、第２の肩ストラップと、一対の肩ストラップの各々から延び、フレームによって吊り下げられた負荷引き上げストラップとを含むことができる。
【０００８】
一実施形態では、バックパックはまた、負荷引き上げストラップを選択的に締結する第１の肩ストラップに固定された締結具と、負荷引き上げストラップの一端を第２の肩ストラップに固定する固定点とを含むことができる。
【０００９】
別の実施形態では、バックパックは、負荷引き上げストラップを選択的に締結する第１の肩ストラップに固定された第１の締結具と、負荷引き上げストラップを選択的に締結する第２の肩ストラップに固定された第２の締結具とを含むことができる。
【００１０】
さらに別の実施形態は、フレームの上部に配置された一対のノッチを含むことができ、これらのノッチは、負荷引き上げストラップをフレームの背後に向ける。
【００１１】
本発明の別の態様は、ユーザに対するバックパックの快適性を向上させ、安全性を向上させるために、バックパックの腰ベルトと肩ストラップとの間の距離を調節する胴体長さ調節機構に関する。このようなバックパックの一例は、本体と、フレームと、第１の肩ストラップと、第２の肩ストラップと、第１の肩ストラップおよび第２の肩ストラップに取り付けられたヨークと、第１の腰パッドおよび第２の腰パッドを有する腰ベルトに取り付けられた背面パネルと、フレームの第１の下側部分からフレームの第１の下側部分と反対側のフレームの第２の下側部分まで延びると共に、ヨークに固定されたストラップ受け部材を通過する胴体長さ調整ストラップとを含むことができる。
【００１２】
一実施形態では、バックパックが、胴体長さ調整ストラップを選択的に締結するフレームの第１の下側部分に固定された締結具と、胴体長さ調整ストラップの一端をフレームの第２の下側部分に固定する固定点とを含むことができる。
【００１３】
別の実施形態では、バックパックが、胴体長さ調整ストラップを選択的に締結するフレームの第１の下側部分に固定された第１の締結具と、胴体長さ調整ストラップを選択的に締結するフレームの第２の下側部分に固定された第２の締結具とを含むことができる。
【００１４】
別の実施形態では、ヨークが、胴体長さ調整ストラップの調整に応答してフレームの垂直部分に沿って摺動可能であるようにフレームに嵌合されてもよい。
【００１５】
さらに別の実施形態では、背面パネルが、胴体長さ調整ストラップの調整に応答してフレームの垂直部分に沿って摺動可能であるように、フレームに嵌合されてもよい。
【００１６】
さらに別の実施形態では、背面パネルが、胴体長さ調整ストラップを隠すことができる。
【００１７】
さらに、本発明によるバックパックは、負荷引き上げ機構と胴体長さ調整機構の両方を含むことができる。このようなバックパックの一例は、本体と、フレームと、第１の肩ストラップと、第２の肩ストラップと、第１の肩ストラップおよび第２の肩ストラップのそれぞれに取り付けられ、フレームによって吊り下げられた負荷引き上げストラップと、第１の肩ストラップおよび第２の肩ストラップに取り付けられたヨークと、第１の腰パッドおよび第２の腰パッドを有する腰ベルトに取り付けられた背面パネルと、フレームの第１の下側部分からフレームの第１の下側部分と反対側のフレームの第２の下側部分まで延びると共に、ヨークに固定されたストラップ受け部材を通過する胴体長さ調整ストラップとを含むことができる。
【００１８】
本発明は、以下の詳細な説明および添付の図面から、より完全に理解されるのであろう。図面は本発明のいくつかの可能な例を開示することを意図しており、したがって、本発明の範囲を限定するものではない。
【図面の簡単な説明】
【００１９】
【図１】本発明による負荷調整システムを備えたバックパックの模式図を示す。
【図２】本発明に係る負荷引き上げ機構の構成例を示す図である。
【図３】本発明に係る負荷引き上げ機構の構成例を示す図である。
【図４】本発明に係る負荷引き上げ機構の構成例を示す図である。
【図５】本発明に係る胴体長さ調整機構の構成例を示す図である。
【図６】本発明に係る胴体長さ調整機構の構成例を示す図である。
【図７】本発明に係る胴体長さ調整機構の構成例を示す図である。
【図８】本発明に係る胴体長さ調整機構の構成例を示す側面図である。
【図９】本発明に係る胴体長さ調整機構の構成例を示す側面図である。
【発明を実施するための形態】
【００２０】
本発明は、一般に、バックパックのための改良された負荷調整システムに関する。負荷調整システムの好ましい例はバックパックに関連して以下に詳細に記載されるが、本明細書に記載される負荷調整システムは安全ベストおよび安全ハーネスなどの広範な種類の装置にも適用され得る。
【００２１】
本発明の負荷調整システムの一実施例を図１に概略的に示す。まず、本発明の負荷引き上げ機構について説明する。以下、胴体長さ調整機構について説明する。
【００２２】
図１のアセンブリ１００は、バックパックの本体（図示せず）の形状を維持すると共に、他の機能の中でも、特定の構成要素を支持するために設けられたフレーム１０２を含む。フレーム１０２は、例えば、管状アルミニウムのような剛性のある細長い材料から作ることができる。フレーム１０２は、アセンブリ１００の両側に垂直部分を含み、これらの垂直部分は、アセンブリ１００の両側に沿って実質的に垂直に延在する。フレーム１０２の側部は、それらの頂端部で、フレーム１０２の頂部によって接続される。
【００２３】
フレーム１０２の頂部はノッチ１０８を含む。ノッチ１０８は、フレーム１０２の湾曲部によって形成され、好ましくはフレーム１０２の頂部の外側端部に向かって配置される。ノッチ１０８は、好ましくは、それらを横切って配置される、バックパックに一般的に関連するタイプのストラップを収容するのに十分な幅を有する。したがって、ノッチ１０８は、例えば１／４インチ〜４インチであってもよい。各ノッチ１０８は、下向きの方向から延びる負荷引き上げストラップ１１０の向きが、他方のノッチ１０８に向って変わるように、頂部に対して角度が付けられた部分を含む。
【００２４】
アセンブリ１００は、肩ストラップ１０６をさらに含む。肩ストラップ１０６は、ヨーク１５２に取り付けられ、ヨーク１５２から上方に延びている。肩ストラップ１０６は、ユーザの肩に快適に載るように、通常の方法で輪郭付けされる。
【００２５】
アセンブリ１００は、負荷引き上げストラップ１１０をさらに含む。負荷引き上げストラップ１１０は、好ましくは固定点１０４で肩ストラップ１０６の１つに固定して取り付けられる。負荷引き上げストラップ１１０は、縫製、接着剤、または別の適切な方法によって、肩ストラップ１０６のうちの１つに固定的に取り付けられてもよい。負荷引き上げストラップ１１０は、好ましくはユーザによって選択的に締結され得るように、締結具１１２によって肩ストラップ１０６の他方に保持される。締結具１１２は、例えば、カムバックルであってもよい。肩ストラップの間で、負荷引き上げストラップ１１０は、肩ストラップ１０６に対してフレーム１０２の後方に延在する。負荷引き上げストラップ１１０は、ノッチ１０８の内側の位置に偏在するように、ノッチ１０８の上に置かれる。負荷引き上げストラップ１１０がノッチ１０８の１つを横切って置かれると、そのストラップは、自由に動くのではなく、ノッチ１０８の内側の所定位置に留まるように偏在させられる。ノッチ１０８は、フレーム１０２の背後を通過するように負荷引き上げストラップ１１０の向きを変える。
【００２６】
代替の実施形態では、負荷引き上げストラップ１１０が、例えば、負荷引き上げストラップ１１０が通過するフレーム１０２に取り付けられたリングによって、フレーム１０２によって他の方法で吊り下げられてもよい。
【００２７】
このように負荷引き上げストラップ１１０を配向することによって、負荷引き上げストラップ１１０は、フレーム１０２の剛性を使用して、ユーザから上方および後方の両方向に肩ストラップ１０６に張力を加える。肩ストラップ１０６の位置を調節するために、ユーザは、締結具１１２に対する負荷引き上げストラップ１１０の位置を変える。肩ストラップ１０６を上方に移動させるために、ユーザは締結具１１２を解放し、その自由端１１４によって負荷引き上げストラップ１１０を引っ張り、締結具１１２と固定点１０４との間の負荷引き上げストラップ１１０の長さを短くすることができる。次に、ユーザは、締結具１１２を係合させて、負荷引き上げストラップ１１０の位置を保持する。肩ストラップ１０６を下げるために、ユーザは締結具１１２を解放し、負荷引き上げストラップ１１０が締結具１１２を通って後退することを可能にし、したがって締結具１１２と固定点１０４との間の負荷引き上げストラップ１１０の長さを増加させる。
【００２８】
このような構成により、ユーザは、片手のみを用いて肩ストラップ１０６の位置を調整することができる。これにより、ユーザは、アセンブリ１００が着用されている間に、ハイキングなどの活動中に調整を行うことができる。
【００２９】
代替の実施形態では、固定点１０４を、例えば、締結具１１２などの機構によって置き換えることができる。これにより、ユーザは、どちらの側から調整を行うかを選択することができる。また、負荷引き上げストラップ１１０が置かれるノッチ１０８は、バックパックの本体に固定されたループ又はリングのような他の同様の機構で置き換えることができる。
【００３０】
負荷引き上げストラップ１１０を使用して両方の肩ストラップ１０６に張力を加えることは、ユーザの動きに対する応答性を改善するので有利である。負荷引き上げストラップ１１０は、フレーム１０２のノッチ１０８の上に置かれる。ノッチ１０８はフレーム１０２に対して横方向の負荷引き上げストラップ１１０の移動を制限するが、負荷引き上げストラップ１１０はノッチ内で横方向に摺動することができる。その結果、肩ストラップ１０６の一方が持ち上げられて負荷引き上げストラップ１１０の張力が解放されると、肩ストラップ１０６の他方が下げられる。
【００３１】
図２乃至図４は、バックパック２００に実装された本発明に係る負荷引き上げ機構による肩ストラップによる、上記の協調運動を示す。図２において、締結具２１２は、固定点２０４と締結具２１２との間の負荷引き上げストラップ２１０の長さを設定するようにロックされている。肩ストラップ２０６は、負荷引き上げストラップ２１０によって均一な高さで吊り下げられている。
【００３２】
図３では、イメージ中の右側の肩ストラップ２０６が下げられている。その結果、負荷引き上げストラップ２１０は、ノッチ２０８を通って下降した肩ストラップ２０６に向かって引っ張られる。負荷引き上げストラップ２１０のシフトを考慮するために、イメージ中の左側の肩ストラップ２０６が持ち上げられる。図４は、肩ストラップ２０６の位置を逆にした同様の状況を示す。
【００３３】
単一の負荷引き上げストラップの使用は、肩ストラップがユーザの動きにより良く応答することを可能にする。例えば、はしごを登るような、ユーザの腕を交互に持ち上げることを必要とする活動の間、負荷引き上げストラップはノッチ内で移動し、その結果、肩ストラップを上下させる。従って、負荷の重量はユーザの肩の一つに集中せず、快適性が促進される。
【００３４】
次に、本発明に係る胴体長さ調整機構について説明する。再び図１を参照すると、ヨーク１５２は、取付点１７０においてフレーム１０２上を摺動可能であるように取り付けられている。取付点１７０は、フレーム１０２が通過するヨーク１５２の側面に位置する中空チャネルであってもよい。ヨーク１５２はこれにより、前後方向および左右方向に拘束されるが、フレーム１０２に沿って上下に並進することができる。
【００３５】
アセンブリ１００はまた、好ましくは、ヨーク１５２とユーザとの間に据えられる背面パネル１５４を含む。背面パネル１５４はまた、取付点１６８でフレーム１０２に取り付けられている。取付点１６８は、フレーム１０２が通過する、背面パネル１５４の側部にある中空チャネルであってもよい。背面パネル１５４は、フレーム１０２に対していかなる方向にも自由に動くことができないことが好ましい。腰パッド１６２は、好ましくは背面パネル１５４に取り付けられ、アセンブリ１００の下側に配置される。
【００３６】
アセンブリ１００は、肩ストラップ１０６と腰パッド１６２との間の距離を調節するための胴体長さ調整ストラップ１５８をさらに含む。胴体長さ調整ストラップ１５８は、好ましくはフレーム１０２の下側部分において、フレーム１０２自体、またはフレーム１０２の下側部分から延びるパネルのいずれかに、縫合、接着剤、または他の適切な方法によって取り付けられる固定点１６０において固定される。固定点１６０から、胴体長さ調整ストラップ１５８は、ヨーク１５２の下部に取り付けられたストラップ受け部材１５６を通過する。ストラップ受け部材１５６は例えば、リングであってもよい。次に、胴部長さ調整ストラップ１５８は、固定点１６０とは反対側で、フレーム１０２自体またはフレーム１０２の下側部分から延びるパネルに、フレーム１０２の下側部分において固定された締結具１６６に通される。締結具１６６は、例えば、カムバックルであってもよい。
【００３７】
ユーザが胴体長さ調整ストラップ１５８の自由端１６４を引っ張ると、胴体長さ調整ストラップ１５８の張力が増大する。張力が増大すると、胴体長さ調整ストラップ１５８はストラップ受け部材１５６を通って締結具１６６に向かって摺動し、固定点１６０と締結具１６６との間の胴体長さ調整ストラップ１５８の長さが減少する。この長さが減少すると、ストラップ受け部材１５６と腰パッド１６２との間の垂直距離が減少する。このプロセスでは、ヨーク１５２はストラップ受け部材１５６によって下方に引っ張られ、フレーム１０２の垂直部分に沿って、腰パッド１６２により近い下方位置まで摺動する。ユーザがヨーク１５２および肩ストラップ１０６が快適な位置にあるように自由端１６４を引っ張ったとき、締結具１６６は、その位置に胴体長さ調整ストラップ１５８を保持するように係合されてもよい。
【００３８】
代替の実施形態では、胴体長さ調整ストラップ１５８が着用者の両側で調整可能であるように、固定点１６０が、カムバックルなどの第２の締結具によって置き換えられてもよい。
【００３９】
逆に、ユーザが、肩ストラップ１０６と腰パッド１６２との間の距離を増大させたい場合には、締結具１６６の係合が解除され、胴体長さ調整ストラップ１５８内の張力が解放される。その結果、胴部長さ調整ストラップ１５８は、ストラップ受け部材１５６を通って反対方向に摺動することができ、その結果、固定点１６０と締結具１６６との間の胴部長さ調整ストラップ１５８の長さが増大する。例えば、ユーザがそのアセンブリを着用しており、重力がアセンブリ１００を下方に付勢してユーザの肩が肩ストラップ１０６に上向きの力を加えている場合には、胴体長さ調整ストラップ１５８がこのように摺動して、ヨーク１５２はフレーム１０２の垂直部分に沿って上方に摺動する。ユーザが、ヨーク１５２および肩ストラップ１０６が快適な位置にあるように自由端１６４を引っ張ったときに、締結具１６６は、その位置に胴体長さ調整ストラップ１５８を保持するように係合されてもよい。
【００４０】
代替の実施形態では背面パネル１５４がフレーム１０２上で摺動可能であるように取り付けられてもよく、ヨーク１５２はフレーム１０２に固定されてもよい。このような構成では、胴体長さ調整ストラップ１５８の調節により、背面パネル１５４がフレーム１０２の垂直部分に沿ってシフトして、腰パッド１６２を肩ストラップ１０６の近くまたは遠くのいずれかに移動させることになる。したがって、背面パネル１５４はフレーム１０２に対して摺動可能であり、ヨーク１５２はフレーム１０２に対して静止している。
【００４１】
図５乃至図９は、バックパック３００上での本発明による胴体長さ調整機構の実施を例示する。図５において、バックパック３００は、固定点（図１において符号１６０で示される）と締結具（図１において符号１６６で示される）との間の胴体長さ調整ストラップ（図１において符号１５８で示される）の長さが最大化された状態で示されている。自由端３６４の長さは、この状態で最も短い。また、この状態において、ヨーク３５２は、バックパック３００の残余の部分が重力によって下方に押されつつユーザの肩によって上方に押されたときに、フレーム３０２の垂直部分に沿って最上部の位置まで移動することが可能である。これにより、腰パッド３６２と肩パッド３０６との間の距離は最大化される。
【００４２】
図６において、バックパック３００は、固定点（図１において符号１６０で示される）と締結具（図１において符号１６６で示される）との間の胴体長さ調整ストラップ（図１において符号１５８で示される）の長さが中間の長さである状態で示されている。この状態では、自由端３６４も中間の長さである。この状態で、ヨーク３５２は、胴体長さ調整ストラップ３５８の張力によってフレーム３０２の垂直部分に沿った中間位置に拘束される。これにより、腰パッド３６２と肩パッド３０６との間の距離は中間の距離となる。
【００４３】
図７において、バックパック３００は、固定点（図１において符号１６０で示される）と締結具（図１において符号１６６で示される）との間の胴体長さ調整ストラップ（図１において符号１５８で示される）の長さが最小化された状態で示されている。自由端３６４の長さは、この状態では最も長い。また、この状態では、ヨーク３５２が、胴体長さ調整ストラップ３５８の張力により、フレーム３０２の垂直部分に沿って最下位置に押しやられる。これにより、腰パッド３６２と肩パッド３０６との間の距離は最小限に抑えられる。この状態では、ヨーク３５２は、ユーザとの関係において、背面パネル３５４の実質的な後方に位置することができる。さらに、ヨーク３５２の取付点３７０は、背面パネル３５４の取付点内に入れ子になってもよく、またはその逆であってもよい。
【００４４】
図８は、胴体長さ調整機構の構成要素を露出させるために折り畳まれた背面パネル３５４の上部を伴うバックパック３００を示す。ストラップ受け部材３５６および胴体長さ調整ストラップ３５８の何れもがユーザの衣類と擦れたり絡まったりしないように、背面パネル３５４が、ストラップ受け部材３５６及び胴体長さ調整ストラップ３５８を隠すことが好ましい。
【００４５】
図９は、バックパック３００の側面図を示す。胴体長さ調整ストラップ３５８は、背面パネル３５４の背後から右の腰パッド３６２の外側に延び、そこで締結具３６６を通過する。その結果、自由端３６４は、ユーザがバックパック３００を着用している間に引っ張って伸ばしたり後退が可能となったりするように、ユーザの右手で容易にアクセスすることが可能となっている。
【００４６】
要約すると、胴体長さ調節機構は、バックパックまたはその機構を実施する他の着用可能な装置のユーザに、バックパックに設けられた腰パッドまたは腰ベルトの位置を容易かつ便利に調節する能力を提供する。胴体長さ調整ストラップの自由端を片手で引っ張ることによって、ユーザは、肩ストラップと腰ベルトとの間の距離を減少させることができる。例えば、背の低いユーザは、この手順を実行することができる。胴体長さ調整ストラップを保持している締結具を片手で解放することによって、ユーザは、肩ストラップと腰ベルトとの間の距離を増加させることができる。例えば、背の高いユーザは、この手順を実行することができる。肩ストラップに対する腰ベルトの調整を行うことで、バックパック内の荷物を運ぶ際の快適性及び安全性が向上する。ユーザは、調整を実行するためにバックパックを取り外す必要はなく、さもなければ、活動を中止する必要がない。
【００４７】
様々な実施形態を説明したが、他の実施形態もあり得る。改善された肩ストラップを有するバックパックの様々な例の前述の説明は、限定することを意図するものではなく、実施例に対して、任意の数の修正、組み合わせ、および代替の使用が可能であることを理解されたい。
【００４８】
本発明の精神および範囲から逸脱することなく、多数の他の実施形態を実施することができるので、本明細書に記載の例は単に例示的なものである。さらに、本発明の特定の特徴は特定の例または構成の文脈においてのみ上記で説明されてもよいが、これらの特徴は、本発明の範囲内に留まりながら、様々な実施形態または構成から、或いはそれらの間で、交換、追加、および除去されてもよい。
【図１】
0006880207.tif 000002
【図２】
0006880207.tif 000003
【図３】
0006880207.tif 000004
【図４】
0006880207.tif 000005
【図５】
0006880207.tif 000006
【図６】
0006880207.tif 000007
【図７】
0006880207.tif 000008
【図８】
0006880207.tif 000009
【図９】
0006880207.tif 000010